(57)【要約】【課題】入力ソースを切替えた場合の出力音量レベルの適正化を図ったアンプ装置、及びこのアンプ装置を備えたテレビジョン受信機を提供することである。【解決手段】アンプ装置１００は、入力ソースの切替えを制御する入力ソース制御部（制御部２）と、入力ソース毎に出力音量レベルを保存する音量保存部１４と、入力ソースが切替えられたとき、当該切替え前の出力音量レベルと切替え後の入力ソースに対応する音量保存部１４の出力音量レベルとの差が第１の所定値以上か否かを判定する音量判定部（制御部２）と、音量判定部で、当該切替え前の出力音量レベルが切替え後の入力ソースの出力音量レベルよりも第１の所定値以上大きいと判定した場合、切替え後の入力ソースの新しい出力音量レベルとして当該切替え前の出力音量レベルから第１の所定値分下げた値を出力音量レベルとする制御を行う音量制御部（制御部２）とを備える。【選択図】図２
2007251602.tif 000002
【特許請求の範囲】
【請求項１】
入力ソースの切替えを制御する入力ソース制御部と、
入力ソース毎に出力音量レベルを保存する音量保存部と、
前記入力ソース制御部からの信号により、前記入力ソースが切替えられたとき、当該切替え前の出力音量レベルと切替え後の入力ソースに対応する前記音量保存部の前記出力音量レベルとの差が第１の所定値以上か否かを判定する音量判定部と、
前記音量判定部で、当該切替え前の出力音量レベルが前記切替え後の入力ソースの出力音量レベルよりも第１の所定値以上大きいと判定した場合、前記切替え後の入力ソースの新しい出力音量レベルとして当該切替え前の出力音量レベルから前記第１の所定値分下げた値を出力音量レベルとする制御を行う音量制御部とを備えることを特徴とするアンプ装置。
【請求項２】
請求項１に記載のアンプ装置であって、
前記音量制御部は、前記音量判定部で、前記切替え前の出力音量レベルが前記切替え後の出力音量レベルよりも第１の所定値未満と判定した場合、前記切替え後の出力音量レベルを前記切替え前の出力音量レベルと同一とする制御を行うことを特徴とするアンプ装置。
【請求項３】
請求項１または請求項２に記載のアンプ装置と、
テレビジョン放送をチャンネル毎に選択して受信する受信部とを備えることを特徴とするテレビジョン受信機。
【請求項４】
請求項３に記載のテレビジョン受信機であって、
前記チャンネル毎の番組情報を取得する番組情報取得部と、
前記番組情報取得部で取得した前記番組情報からコマーシャル放送時刻を取得し、前記入力ソースが前記テレビジョン放送に切替えられたときの切替時刻が当該コマーシャル放送時刻の範囲内か否かを判定する番組情報判定部とを備え、
前記音量制御部は、前記音量判定部で、前記切替え前の出力音量レベルが前記テレビジョン放送の出力音量レベルよりも第１の所定値以上大きいと判定され、更に前記番組情報判定部で、前記切替時刻が前記コマーシャル放送時刻の範囲内に入っていると判定された場合、前記コマーシャル放送時刻範囲内では、前記テレビジョン放送の出力音量レベルとして前記切替え前の出力音量レベルから第２の所定値分下げた値を出力音量レベルとする制御を行い、前記切替時刻が前記コマーシャル放送時刻の範囲内に入っていないと判定された場合、前記テレビジョン放送の出力音量レベルとして前記切替え前の出力音量レベルから前記第１の所定値分下げた値を出力音量レベルとする制御を行うことを特徴とするテレビジョン受信機。
【請求項５】
請求項３に記載のテレビジョン受信機であって、
前記チャンネル毎の番組情報を取得する番組情報取得部と、
前記番組情報取得部で取得した前記番組情報からコマーシャル放送時刻を取得し、前記入力ソースが前記テレビジョン放送に切替えられたときの切替時刻が当該コマーシャル放送時刻の範囲内か否かを判定する番組情報判定部とを備え、
前記音量制御部は、前記音量判定部で、前記切替え前の出力音量レベルが前記テレビジョン放送の出力音量レベルよりも第１の所定値以上大きいと判定され、更に前記番組情報判定部で、前記切替時刻が前記コマーシャル放送時刻の範囲内に入っていると判定された場合、前記コマーシャル放送時刻範囲内では、前記テレビジョン放送の出力音量レベルとして前記切替え前の出力音量レベルから第１の所定値分下げた値を出力音量レベルとする制御を行い、前記切替時刻が前記コマーシャル放送時刻の範囲内に入っていないと判定された場合、前記テレビジョン放送の出力音量レベルとして前記切替え前の出力音量レベルと同一の出力音量レベルとする制御を行うことを特徴とするテレビジョン受信機。
【発明の詳細な説明】
【技術分野】
【０００１】
本発明は、アンプ装置、及びこれを備えたテレビジョン受信機に関するものである。
【背景技術】
【０００２】
従来、テレビジョン放送を受信するテレビジョン受信機は、内部に音量の出力レベルを可変させるアンプ装置が搭載されている。そして、テレビジョン受信機は、ＤＶＤ（Digital Versatile Disk）プレーヤやビデオテープレコーダなどの機器を外部接続機器として接続することもできる。ユーザは、リモコン（リモートコントローラ）などに設置される音量調整部を調整することにより、テレビジョン受信機に搭載されるアンプ装置が、音量の出力レベルをユーザの調整に応じて可変することで、テレビジョン放送や接続された外部接続機器の音声を好みの音量で聴くことができる。また、アンプ装置は、ユーザが設定した出力音量レベルを共通の出力音量レベルとして保存して、入力ソース（テレビジョン放送や外部接続機器）を切替えた場合にも保存した共通の出力音量レベルで音声を出力することができる。
【発明の開示】
【発明が解決しようとする課題】
【０００３】
しかし、テレビジョン放送を受信する場合や外部接続機器などを接続する場合、アンプ装置に入力するテレビジョン信号やビデオ信号などの入力レベルがそれぞれ異なるために、従来のように、入力ソースを切替えた場合、ユーザが設定した共通の出力音量レベルを用いて出力しても、実際に出力される音量は異なってしまう。従って、ユーザは、入力ソースを切替える毎に音量調整部を操作して音量を調整し、聴き易い音量にすることが必要となるという課題があった。
【０００４】
本発明は、上記課題に鑑みてなされたものであり、入力ソースを切替えた場合の出力音量レベルの適正化を図ったアンプ装置、及びこのアンプ装置を備えたテレビジョン受信機を提供することを目的とする。
【課題を解決するための手段】
【０００５】
上述した目的を達成するために、本発明のアンプ装置は、入力ソースの切替えを制御する入力ソース制御部と、入力ソース毎に出力音量レベルを保存する音量保存部と、入力ソース制御部からの信号により、入力ソースが切替えられたとき、切替え前の出力音量レベルと切替え後の入力ソースに対応する音量保存部の出力音量レベルとの差が第１の所定値以上か否かを判定する音量判定部と、音量判定部で、切替え前の出力音量レベルが切替え後の入力ソースの出力音量レベルよりも第１の所定値以上大きいと判定した場合、切替え後の入力ソースの新しい出力音量レベルとして切替え前の出力音量レベルから第１の所定値分下げた値を出力音量レベルとする制御を行う音量制御部とを備えることを特徴とする。
【０００６】
このようなアンプ装置によれば、音量保存部は、入力ソース毎に出力音量レベルを保存する。そして、入力ソース制御部により、入力ソースが切替えられると、音量判定部は、切替え前の出力音量レベルと切替え後の入力ソースに対応する音量保存部に保存される出力音量レベルとの差が第１の所定値以上か否かを判定し、出力音量レベルの差が第１の所定値以上大きいと判定した場合には、音量制御部は、切替え後の入力ソースの新しい出力音量レベルとして切替え前の出力音量レベルから第１の所定値分下げた値を出力音量レベルとする制御を行う。この構成および動作により、切替え前の入力ソースと切替え後の入力ソースとの出力音量レベルの差を少なくすることができる。それにより、入力ソースを切替えた場合、ユーザを驚かせる音量で出力することを低減できる。また、入力ソースを切替えた場合、ユーザにその都度、リモコンなどで出力音量レベルを調整させる必要性を低減できる。従って、入力ソースを切替えた場合の出力音量レベルの適正化を図ることができるアンプ装置を提供できる。
【０００７】
上記アンプ装置において、音量制御部は、音量判定部で、切替え前の出力音量レベルが切替え後の出力音量レベルよりも第１の所定値未満と判定した場合、切替え後の出力音量レベルを切替え前の出力音量レベルと同一とする制御を行っても良い。
【０００８】
このようなアンプ装置によれば、切替え前の出力音量レベルが切替え後の出力音量レベルよりも第１の所定値未満と判定した場合には、切替え前の入力ソースと切替え後の入力ソースとの出力音量レベルの差は少ないとして、切替え後の出力音量レベルを切替え前の出力音量レベルと同一とする。これにより、上記と同様の効果を奏することができる。
【０００９】
上述した目的を達成するために、本発明のテレビジョン受信機は、上述したいずれかのアンプ装置と、テレビジョン放送をチャンネル毎に選択して受信する受信部とを備えることを特徴とする。
【００１０】
このようなテレビジョン受信機によれば、受信部でテレビジョン放送を受信し、アンプ装置により、入力ソースをテレビジョン放送に切替えて、テレビジョン放送を聴くことができる。また、上述したアンプ装置における効果を同様に奏することができることにより、入力ソースを切替えた場合の出力音量レベルの適正化を図ることができるテレビジョン受信機を提供できる。
【００１１】
上記テレビジョン受信機において、チャンネル毎の番組情報を取得する番組情報取得部と、番組情報取得部で取得した番組情報からコマーシャル放送時刻を取得し、入力ソースがテレビジョン放送に切替えられたときの切替時刻が当該コマーシャル放送時刻の範囲内か否かを判定する番組情報判定部とを備え、音量制御部は、音量判定部で、切替え前の出力音量レベルがテレビジョン放送の出力音量レベルよりも第１の所定値以上大きいと判定され、更に番組情報判定部で、切替時刻がコマーシャル放送時刻の範囲内に入っていると判定された場合、コマーシャル放送時刻範囲内では、テレビジョン放送の出力音量レベルとして切替え前の出力音量レベルから第２の所定値分下げた値を出力音量レベルとする制御を行い、切替時刻がコマーシャル放送時刻の範囲内に入っていないと判定された場合、テレビジョン放送の出力音量レベルとして切替え前の出力音量レベルから第１の所定値分下げた値を出力音量レベルとする制御を行うことが好ましい。
【００１２】
このようなテレビジョン受信機によれば、番組情報取得部でチャンネル毎の番組情報を取得し、その番組情報に含まれるコマーシャル放送時刻を取得する。入力ソースがテレビジョン放送に切替ったとき、切替え前の出力音量レベルがテレビジョン放送の出力音量レベルよりも第１の所定値以上大きく、更に切替時刻がコマーシャル放送時刻の範囲内である場合には、テレビジョン放送の出力音量レベルを切替え前の出力音量レベルから第２の所定値分下げ、また、コマーシャル放送時刻の範囲内に入っていない場合には、テレビジョン放送の出力音量レベルを切替え前の出力音量レベルから第１の所定値分下げる。この構成および動作により、コマーシャル放送時に受信される音声信号の入力レベルが、コマーシャル放送時以外の放送時（番組放送時）に受信される音声信号の入力レベルよりも大きい場合には、第１の所定値よりも第２の所定値を大きく設定することにより、コマーシャル放送時における出力音量レベルを下げることができ、ユーザを驚かせる音量で出力することを低減でき、コマーシャル放送を聴き易くさせる。また、コマーシャル放送時に受信される音声信号の入力レベルが、コマーシャル放送時以外の放送時（番組放送時）に受信される音声信号の入力レベルよりも小さい場合には、第１の所定値よりも第２の所定値を小さく設定することにより、コマーシャル放送時における出力音量レベルを上げることができ、コマーシャル放送を聴き易くさせる。
一般にテレビジョン放送において、コマーシャル放送時の音声信号の入力レベルに比べて、番組放送時の音声信号の入力レベルの方が低い場合が多いため、テレビジョン放送に入力ソースを切替えた切替時刻がコマーシャル放送時の範囲内に入っていた場合の方が、番組放送時の範囲内に入っている時よりも音声が大きくなるため、第１の所定値よりも第２の所定値を大きく設定することが好ましい。
従って、入力ソースを切替えた場合の出力音量レベルの適正化を更に図ることができるテレビジョン受信機を提供できる。
【００１３】
上記テレビジョン受信機において、チャンネル毎の番組情報を取得する番組情報取得部と、番組情報取得部で取得した番組情報からコマーシャル放送時刻を取得し、入力ソースがテレビジョン放送に切替えられたときの切替時刻が当該コマーシャル放送時刻の範囲内か否かを判定する番組情報判定部とを備え、音量制御部は、音量判定部で、切替え前の出力音量レベルがテレビジョン放送の出力音量レベルよりも第１の所定値以上大きいと判定され、更に番組情報判定部で、切替時刻がコマーシャル放送時刻の範囲内に入っていると判定された場合、コマーシャル放送時刻範囲内では、テレビジョン放送の出力音量レベルとして切替え前の出力音量レベルから第１の所定値分下げた値を出力音量レベルとする制御を行い、切替時刻がコマーシャル放送時刻の範囲内に入っていないと判定された場合、テレビジョン放送の出力音量レベルとして切替え前の出力音量レベルと同一の出力音量レベルとする制御を行うことが好ましい。
【００１４】
このようなテレビジョン受信機によれば、番組情報取得部でチャンネル毎の番組情報を取得し、その番組情報に含まれるコマーシャル放送時刻を取得する。入力ソースがテレビジョン放送に切替ったとき、切替え前の出力音量レベルがテレビジョン放送の出力音量レベルよりも第１の所定値以上大きく、更に切替時刻がコマーシャル放送時刻の範囲内である場合には、テレビジョン放送の出力音量レベルを切替え前の出力音量レベルから第１の所定値分下げ、また、コマーシャル放送時刻の範囲内に入っていない場合には、テレビジョン放送の出力音量レベルを切替え前の出力音量レベルと同一の出力音量レベルとする。
一般にテレビジョン放送において、コマーシャル放送時の音声信号の入力レベルに比べて、番組放送時の音声信号の入力レベルの方が低い場合が多いため、テレビジョン放送に入力ソースを切替えた切替時刻がコマーシャル放送時の範囲内に入っていた場合の方が、番組放送時の範囲内に入っている時よりも音声が大きくなるため、第１の所定値分下げることによりユーザを驚かせる音量で出力することを低減できる。従って、入力ソースを切替えた場合の出力音量レベルの適正化を図ることができるテレビジョン受信機を提供できる。
【発明を実施するための最良の形態】
【００１５】
以下、本発明の実施形態を図面に基づいて説明する。
（第１実施形態）
【００１６】
図１は、本発明の第１実施形態に係るアンプ装置を備えたテレビジョン受信機の構成を示すブロック図である。図１を用いて、アンプ装置１００およびテレビジョン受信機１の構成および動作を説明する。
【００１７】
図１に示すように、アンプ装置１００は、入力選択部７、音声出力部１２および音量保存部１４などを有して構成されている。また、テレビジョン受信機１は、前述のアンプ装置１００、リモコン受光部３、キー入力処理部４、選局処理部５、チューナ６、映像音声処理部９、映像出力部１０、表示部１１およびスピーカ１３などを有して構成されている。
【００１８】
アンプ装置１００およびテレビジョン受信機１は、制御部２により統括制御されている。また、制御部２は、ＣＰＵ（Central Processing Unit）で構成される。このＣＰＵは、ＲＯＭ（Read Only Memory））及びＲＡＭ（Random Access Memory）を有して構成される。
【００１９】
ここで、ユーザが、例えば押ボタン式のキースイッチを有するワイヤレス型のリモコン（リモートコントローラ）１５の、キースイッチを押下すると、リモコン１５は、押下されたキースイッチに応じて、リモート制御信号をリモコン受光部３に、例えば赤外線で送信する。そして、キー入力処理部４において、入力したリモート制御信号をデジタルコードデータに変換して制御部２に出力する。制御部２は、入力されたデータに対する制御信号を選局処理部５及び入力選択部７に出力することにより、チャンネルの切替えや、外部接続機器１６の切替えなどを行うように構成されている。なお、本実施形態のテレビジョン受信機１は、テレビジョン放送を受信し、外部接続機器１６として、ビデオテープレコーダとＤＶＤ（Digital Versatile Disk）プレーヤとに接続されている。ここで、テレビジョン放送、ビデオテープレコーダおよびＤＶＤプレーヤなどを入力ソースと総称して以後使用する。
【００２０】
リモコン１５からキー入力処理部４を介して、テレビジョン放送への切替えを指示する入力ソース切替信号が入力された場合、制御部２は、入力選択部７および受信部としての選局処理部５を制御する。そして、選局処理部５は、同じく受信部としてのチューナ６に前回選局されたチャンネルに対応する周波数に応じたテレビジョン信号を受信させる。入力選択部７は、チューナ６を選択し、チューナ６から入力する信号を受取り、映像音声処理部９に入力させる。映像音声処理部９は、入力したテレビジョン信号の中の映像データ部分を順次映像出力部１０に出力し、また、音声データ部分を順次音声出力部１２に出力する。
【００２１】
また、リモコン１５からキー入力処理部４を介して、ビデオテープレコーダなどの外部接続機器１６への切替えを指示する入力ソース切替信号が入力された場合、制御部２は、入力選択部７を制御する。そして、入力選択部７は、ビデオテープレコーダを選択し、ビデオテープレコーダから入力するビデオ信号を受取り、映像音声処理部９に入力させる。映像音声処理部９は、入力したビデオ信号の中の映像データ部分を順次映像出力部１０に出力し、また、音声データ部分を順次音声出力部１２に出力する。
【００２２】
映像出力部１０は、入力する信号が例えばテレビジョン信号の映像データである場合、映像データをデコードして圧縮符号化前の映像データに変換し、これを例えばＲＧＢ信号変換して映像データをビデオ信号に変換する。そして、このビデオ信号を表示部１１に出力する。これにより、表示部１１は、入力するビデオ信号を番組映像として表示する。
【００２３】
一方、音声出力部１２は、音声データをデコードして圧縮符号化前の音声データに変換し、これをデジタルアナログ変換して音声データをアナログ音声信号に変換してスピーカ１３に出力する。なお、音声出力部１２は、音声増幅部を有しており、制御部２から音声の出力音量レベルを示す信号が入力すると、その信号に応じた増幅を行ってスピーカ１３に出力する。これにより、スピーカ１３は、増幅されて入力するアナログ音声信号を番組音声として特定の出力音量レベルで出力する。
【００２４】
制御部２は、アンプ装置１００の制御部２として、入力ソース制御部、音量制御部および音量判定部としての動作と、音量保存部１４を制御している。また、入力ソース制御部、音量制御部および音量判定部は、ＲＯＭに記憶される各部に対応させたプログラムを制御部２が読み出して実行することにより構成される。
以下に制御部２により実行され構成される各部の動作を説明する。
【００２５】
入力ソース制御部は、制御部２の対応するプログラムの実行により、リモコン１５に設置される入力ソース切替操作部のキースイッチが入力されると、キー入力処理部４を介して、入力ソース切替信号として受信して、入力ソースの切替えを行う。
【００２６】
音量判定部は、制御部２の対応するプログラムの実行により、入力ソース制御部からの信号により、入力ソースが第１入力ソース（例えばビデオテープレコーダ）から第２入力ソース（例えばテレビジョン放送）に切替えられたとき、後述する音量保存部１４から切替え前の入力ソースとなる第１入力ソースと切替え後の入力ソースとなる第２入力ソースとの出力音量レベルを読み出し、出力音量レベルの差が第１の所定値以上か否かを判定する。以降の説明において、切替え前の入力ソースを第１入力ソース、切替え後の入力ソースを第２入力ソースという。
【００２７】
音量制御部は、制御部２の対応するプログラムの実行により、音量判定部での判定により第２入力ソースの出力音量レベルを決定し制御する。
【００２８】
音量保存部１４は、入力ソース制御部からの信号により、入力ソースが切替えられると、切替えられる直前の入力ソース（切替え前の入力ソース）の出力音量レベルをデータとして保存する。同一ソースのデータが音量保存部１４にすでに保存されている場合には、今回のデータを最新のデータとして書替えて保存する。
【００２９】
図２は、本発明のアンプ装置を備えたテレビジョン受信機の制御部での処理手順を示すフローチャートである。図３は、テレビジョン受信機の表示部に表示される出力音量レベルの概略図である。図２、図３を用いて、入力ソース制御部、音量判定部および音量制御部としての動作を行う制御部２の処理手順を説明する。なお、図２のフローチャートは、第１入力ソースから第２入力ソースに切替えられた場合の実施形態であり、第１入力ソースとしてビデオテープレコーダ（以降、ビデオと称する）、第２入力ソースとしてテレビジョン放送（以降、ＴＶと称する）を用いた場合である。
【００３０】
制御部２は、本ルーチンを開始し、ステップＳ１００へ移行する。
ステップＳ１００において制御部２は、入力ソース制御部として動作し、リモコン１５に設置される入力ソース切替操作部のキースイッチが入力され、入力ソースをビデオからＴＶに切替える入力ソース切替信号を受信したか否かを判定する。ビデオからＴＶに切替える入力ソース切替信号を受信した場合には、入力ソースをビデオからＴＶに切替え、ステップＳ１０１へ移行する。また、ビデオからＴＶに切替える入力ソース切替信号を受信しない場合には、「次へ」のステップに移行する。「次へ」のステップとは、入力ソースの種類に応じて、どの入力ソースからどの入力ソースに切替える入力ソース切替信号を受信したかを判定するステップであり、受信した場合には、後述するステップＳ１０１以降のフローと同様となる。
【００３１】
ステップＳ１０１において制御部２は、入力ソースがビデオからＴＶに切替えられたため、切替えられる直前の入力ソース（切替え前の入力ソース）であるビデオの出力音量レベルをデータとして音量保存部１４に保存する。この場合、音量保存部１４にビデオに対する出力音量レベルのデータがすでに保存されていても、今回のデータを最新のデータとして書替えて保存する。そしてステップＳ１０２へ移行する。なお、音量保存部１４には、各入力ソースに対して初期設定値としての出力音量レベルのデータが保存されている。
【００３２】
ここで、図３（ａ）は、入力ソースがＴＶに切替えられる直前となる入力ソースがビデオの状態での表示部１１の概略図であり、ビデオテープレコーダからの映像および音声を視聴していた状態の例を示している。出力音量レベルは「２０」に設定されており、出力音量レベルの表示部分２００にそれを表す表示方法で表示される。ステップＳ１０１の処理により、音量保存部１４には、ビデオの出力音量レベルとして「２０」が保存される。
【００３３】
ステップＳ１０２において制御部２は、音量判定部として動作し、音量保存部１４からビデオとＴＶの出力音量レベルのデータを読み出し、出力音量レベルの差が第１の所定値以上か否かを判定する。本実施形態では第１の所定値を「５」として設定している。詳細には、音量判定部は、ビデオの出力音量レベルがＴＶの出力音量レベルよりも第１の所定値「５」以上大きいか否かを判定する。そして、第１の所定値「５」以上大きいと判定した場合には、ステップＳ１０３へ移行する。また、第１の所定値「５」未満と判定した場合には、ステップＳ１０４へ移行する。
【００３４】
ステップＳ１０３において制御部２は、音量制御部として動作し、ＴＶの出力音量レベルをビデオの出力音量レベルから第１の所定値「５」分下げて、ＴＶの出力音量レベルとする。この動作により、音声増幅部を有する音声出力部１２は、制御部２から出力音量レベルを示す信号が入力すると、その信号に応じた増幅を行ってスピーカ１３に出力する。そして、スピーカ１３は、増幅されて入力するアナログ音声信号を番組音声として出力する。
【００３５】
ここで、図３（ｂ）は、入力ソースがＴＶに切替えられた状態での表示部１１の概略図であり、テレビジョン放送の映像および音声を視聴する状態の例を示している。なお、入力ソースがＴＶに切替えられる前の音量保存部１４に保存されているＴＶの出力音量レベルは、「１０」とした場合の例である。換言すると、ステップＳ１０２で、音量保存部１４から読み出されるＴＶの出力音量レベルが「１０」とした場合の例である。
【００３６】
上述したビデオの出力音量レベルとＴＶの出力音量レベルとを数値を用いて、ステップＳ１０２での処理を詳述すると、音量保存部１４からビデオとＴＶとの出力音量レベルのデータを読み出すと、ビデオの出力音量レベルは「２０」、ＴＶの出力音量レベルは「１０」となる。そして、ビデオの出力音量レベルとＴＶの出力音量レベルの差は、「１０」となり、第１の所定値「５」以上となる。従って、ステップＳ１０３へ移行して、音量制御部は、ＴＶの出力音量レベルをビデオの出力音量レベル「２０」から第１の所定値「５」分下げ、この第１の所定値「５」分下げた値をＴＶの新しい出力音量レベルとする制御を行う。この場合、ＴＶの新しい出力音量レベルは「１５」となる。
図３（ｂ）には、テレビジョン放送に切替えられ、出力音量レベルの表示部分２００に、出力音量レベル「１５」がそれを表す表示方法で表示される。
【００３７】
一方、ステップＳ１０２で第１の所定値「５」未満であると判定されて、ステップＳ１０４に移行した場合、制御部２は音量制御部として動作し、ＴＶの出力音量レベルをビデオの出力音量レベルと同一にして、ＴＶの出力音量レベルとする。この処理による音声出力部１２およびスピーカ１３の動作は上述したと同様である。
以上のフローを実行して本ルーチンは終了となる。
【００３８】
なお、入力ソースがビデオからＴＶに切替り、出力音量レベル「１５」でスピーカ１３から出力された音声を、ユーザが聴いたとき、音声（音量）の出力レベルが適正ではないと感じた場合には、リモコン１５などに設置される音量調整部を調整することにより、ユーザが適正と感じる音量の出力レベルに調整することができる。例えば、音声が大きいと感じる場合には、音量調整部を調整して音量の出力レベルを下げることは当然可能である。
【００３９】
ユーザが、出力音量レベルを下げる調整を行い、出力音量レベル「１５」を「１２」に調整したのち、入力ソースをテレビジョン放送から、例えばＤＶＤプレーヤに切替えた場合、制御部２は、テレビジョン放送の出力音量レベルを「１２」として音量保存部１４に保存する。音量保存部１４は、前回保存しているテレビジョン放送の出力音量レベル「１０」を書替えて出力音量レベル「１２」を保存する。
【００４０】
また、上記フローチャートは、第１入力ソースをビデオテープレコーダ、第２入力ソースをテレビジョン放送とした場合に、第１入力ソースを第２入力ソースに切替えたときのフローを示しているが、これに限らず、各入力ソースを相互に切替える毎に、上記フローチャートを実行することで、切替った後の入力ソースの出力音量レベルを適切に制御する。
【００４１】
上述した、実施形態によれば以下の効果が得られる。
（１）本実施形態のアンプ装置１００を備えたテレビジョン受信機１によれば、音量保存部１４は、入力ソースがビデオからＴＶに切替えられると、切替え前のビデオの出力音量レベルをデータとして保存する。そして、入力ソース制御部により、ビデオからＴＶに切替えられると、音量判定部は、音量保存部１４からビデオとＴＶとの出力音量レベルのデータを読み出し、出力音量レベルの差が第１の所定値「５」以上か否かを判定する。そして、ビデオの出力音量レベルがＴＶの出力音量レベルよりも第１の所定値「５」以上大きい場合、音量制御部は、ＴＶの出力音量レベルをビデオの出力音量レベルから第１の所定値「５」分下げる。この構成および動作により、ビデオとＴＶとの出力音量レベルの差を少なくすることができる。それにより、入力ソースをビデオからＴＶに切替えた場合、ユーザを驚かせる音量で出力することを低減できろ。また、リモコン１５などで出力音量レベルを調整させる必要性を低減できる。従って、入力ソースをビデオからＴＶに切替えた場合の出力音量レベルの適正化を図ることができるアンプ装置１００とそれを備えたテレビジョン受信機１を提供できる。
なお、本実施形態のように入力ソースをビデオからＴＶに切替えた場合のほか、入力ソースとしてのテレビジョン放送、ＤＶＤプレーヤ、ビデオテープレコーダなどにおいて、相互に切替える場合にも、本実施形態と同様の処理を行うことができ、同様の効果を奏することができる。
【００４２】
（２）本実施形態のアンプ装置１００を備えたテレビジョン受信機１によれば、音量制御部は、音量判定部で、ビデオの出力音量レベルがＴＶの出力音量レベルよりも第１の所定値「５」未満であると判定された場合、ＴＶの出力音量レベルをビデオの出力音量レベルと同一とする制御を行うことで上記と同様の効果を奏することができる。
なお、本実施形態のように入力ソースをビデオからＴＶに切替えた場合のほか、入力ソースとしてのテレビジョン放送、ＤＶＤプレーヤ、ビデオテープレコーダなどにおいて、相互に切替える場合にも、本実施形態と同様の処理を行うことができ、同様の効果を奏することができる。
（第２実施形態）
【００４３】
図４は、本発明の第２実施形態に係るアンプ装置を備えたテレビジョン受信機の構成を示すブロック図である。図４を用いて、アンプ装置１００およびテレビジョン受信機２０の構成および動作を説明する。
【００４４】
本実施形態のアンプ装置１００を備えたテレビジョン受信機２０は、ＥＰＧ（Electronic Program Guide：電子番組表）情報取得部８を備えていることが、第１実施形態と異なる構成の部分であり、その他は第１実施形態と同様の構成となっている。第１実施形態と同様の構成には、同様の符号を付記している。
【００４５】
制御部２は、アンプ装置１００の制御部２として、第１実施形態と同様に、入力ソース制御部、音量制御部および音量判定部としての動作と、音量保存部１４を制御している。また、制御部２は、テレビジョン受信機２０の制御部２として、番組情報判定部としての動作と、番組情報取得部としてのＥＰＧ情報取得部８を制御している。また、入力ソース制御部、音量制御部、音量判定部および番組情報判定部は、ＲＯＭに記憶されるそれぞれに対応させたプログラムを制御部２が読み出して実行することにより構成される。
【００４６】
ＥＰＧ情報取得部８は、チューナ６を介して受信したテレビジョン信号に多重化して提供されているＥＰＧ情報（以降、番組情報と称する）を取得する。なお、番組情報は、各チャンネルの番組放送時間や番組内容などの各種情報からなる。本実施形態では、コマーシャル放送時刻を少なくとも取得する。
【００４７】
番組情報判定部は、制御部２の対応するプログラムの実行により、番組情報取得部としてのＥＰＧ情報取得部８で取得した番組情報からコマーシャル放送時刻を取得する。そして、取得したコマーシャル放送時刻と、入力ソース制御部からの信号により入力ソースを第１入力ソースから第２入力ソースに切替えたときの切替時刻とを判定する。
【００４８】
制御部２がプログラムを実行することで構成されるその他各部の動作は、第１実施形態と同様であるため、説明を省略する。
【００４９】
図５は、本発明のアンプ装置を備えたテレビジョン受信機の制御部での処理手順を示すフローチャートである。図５を用いて、入力ソース制御部、音量判定部、音量制御部および番組情報判定部としての動作を行う制御部２の処理手順を説明する。なお、図５のフローチャートは、入力ソースが第１入力ソースから第２入力ソースとしてのテレビジョン放送（以降、ＴＶと称する）に切替えられた場合の実施形態であり、第１入力ソースとしてビデオテープレコーダ（以降、ビデオと称する）を用いた場合である。なお、第１実施形態と同様に、第１入力ソースは、切替え前の入力ソースに対応し、第２入力ソースは、切替え後の入力ソースに対応する。
【００５０】
制御部２は、本ルーチンを開始し、ステップＳ２００へ移行する。
ステップＳ２００において制御部２は、入力ソース制御部として動作し、リモコン１５に設置される入力ソース切替操作部のキースイッチが入力され、入力ソースをビデオからＴＶに切替える入力ソース切替信号を受信したか否かを判定する。ビデオからＴＶに切替える入力ソース切替信号を受信した場合には、入力ソースをビデオからＴＶに切替え、ステップＳ２０１へ移行する。また、ビデオからＴＶに切替える入力ソース切替信号を受信しない場合には、「次へ」のステップに移行する。「次へ」のステップとは、入力ソースの種類に応じて、どの入力ソースからどの入力ソースに切替える入力ソース切替信号を受信したかを判定するステップであり、受信した場合には、後述するステップＳ２０１以降のフローと同様となる。
【００５１】
ステップＳ２０１において制御部２は、入力ソースがビデオからＴＶに切替えられたため、切替えられる直前の入力ソース（切替え前の入力ソース）であるビデオの出力音量レベルをデータとして音量保存部１４に保存する。この場合、音量保存部１４にビデオに対する出力音量レベルのデータがすでに保存されていても、今回のデータを最新のデータとして書替えて保存する。そしてステップＳ２０２へ移行する。なお、音量保存部１４には、各入力ソースに対して初期設定値としての出力音量レベルのデータが保存されている。
【００５２】
ステップＳ２０２において制御部２は、番組情報判定部として動作し、ＥＰＧ情報取得部８で取得した番組情報からコマーシャル放送時刻を取得する。そして、ステップＳ２０３へ移行する。
【００５３】
ステップＳ２０３において制御部２は、音量判定部として動作し、音量保存部１４からビデオとＴＶの出力音量レベルデータを読み出し、出力音量レベルの差が第１の所定値以上か否かを判定する。本実施形態では第１の所定値を「５」として設定している。詳細には、音量判定部は、ビデオの出力音量レベルがＴＶの出力音量レベルよりも第１の所定値「５」以上大きいか否かを判定する。そして、第１の所定値「５」以上大きいと判定した場合には、ステップＳ２０４へ移行する。また、第１の所定値「５」未満と判定した場合には、ステップＳ２０６へ移行する。
【００５４】
ステップＳ２０４において制御部２は、番組情報判定部として動作し、入力ソース制御部からの信号により入力ソースをビデオからＴＶに切替えたときの切替時刻が、ＥＰＧ情報取得部８で取得したコマーシャル（ＣＭ）放送時刻の範囲内か否かを判定する。詳細には、入力ソースの切替時刻はコマーシャル放送時刻の範囲内か否かを判定し、切替時刻がコマーシャル放送時刻の範囲内であると判定されるとステップＳ２０５へ移行する。また、切替時刻がコマーシャル放送時刻の範囲内ではないと判定されるとステップＳ２０７へ移行する。
【００５５】
ステップＳ２０５において制御部２は、音量制御部として動作し、ＴＶの出力音量レベルをビデオの出力音量レベルから第２の所定値分を下げて、ＴＶの出力音量レベルとする。本実施形態では第２の所定値を「８」として設定しているため、ＴＶの出力音量レベルは、ビデオの出力音量レベルから「８」下げた出力音量レベルとなる。なお、本実施形態では、第２の所定値が第１の所定値に比べて大きい値で設定されている。この動作により、音声増幅部を有する音声出力部１２は、ビデオの出力音量レベルから「８」下げた出力音量レベルとなるように増幅を行ってスピーカ１３に出力する。そして、スピーカ１３は、増幅されて入力するアナログ音声信号を番組音声（この場合は、コマーシャルの音声）として出力する。
【００５６】
ステップＳ２０４で切替時刻がＣＭ放送時刻の範囲内ではないと判定されて、ステップＳ２０７へ移行した場合、ステップＳ２０７において制御部２は、音量制御部として動作し、ＴＶの出力音量レベルをビデオの出力音量レベルから第１の所定値「５」分を下げて、ＴＶの出力音量レベルとする。この動作により、音声増幅部を有する音声出力部１２は、ビデオの出力音量レベルから「５」下げた出力音量レベルとなるように増幅を行ってスピーカ１３に出力する。そして、スピーカ１３は、増幅されて入力するアナログ音声信号を番組音声（この場合は、番組放送の音声）として出力する。
【００５７】
一方、ステップＳ２０３で第１の所定値「５」未満であると判定されて、ステップＳ２０６に移行した場合、制御部２は音量制御部として動作し、ＴＶの出力音量レベルをビデオの出力音量レベルと同一にして、ＴＶの出力音量レベルとする。この動作による音声出力部１２およびスピーカ１３の動作は上述したと同様である。
以上のフローを実行して本ルーチンは終了となる。
【００５８】
なお、上記フローチャートは、第１入力ソースをビデオテープレコーダとして、第２入力ソースとしてのテレビジョン放送に切替えたときのフローを示しているが、これに限らず、第１入力ソースとして外部接続機器１６であるＤＶＤプレーヤを用いても良く、テレビジョン放送以外の各入力ソースをテレビジョン放送に切替える毎に、上記フローチャートを実行することで、切替った後のテレビジョン放送の出力音量レベルを適切に制御する。
【００５９】
上述した、実施形態によれば以下の効果が得られる。
（１）本実施形態のアンプ装置１００を備えたテレビジョン受信機２０によれば、番組情報取得部としてのＥＰＧ情報取得部８および番組情報判定部を備えて、入力ソース制御部によりビデオからＴＶに切替えたとき、音量判定部により、ビデオの出力音量レベルがＴＶの出力音量レベルよりも第１の所定値「５」以上大きいと判定され、更に番組情報判定部により、切替時刻がコマーシャル放送時刻の範囲内であると判定された場合に音量制御部は、コマーシャル放送時刻範囲内では、テレビジョン放送の出力音量レベルをビデオの出力音量レベルから第２の所定値「８」分下げる。また、音量判定部により、ビデオの出力音量レベルがＴＶの出力音量レベルよりも第１の所定値「５」以上大きいと判定され、更に番組情報判定部により、切替時刻がコマーシャル放送時刻の範囲内ではないと判定された場合に音量制御部は、ＴＶの出力音量レベルをビデオの出力音量レベルから第１の所定値「５」分下げる。
【００６０】
これにより、入力ソースがビデオからＴＶに切替ったとき、ビデオの出力音量レベルがＴＶの出力音量レベルよりも第１の所定値「５」以上大きく、更にコマーシャル放送時刻範囲内である場合にビデオの出力音量レベルから第２の所定値「８」分下げることで、本実施形態の場合には、コマーシャル放送時の出力音量レベルをコマーシャル放送時以外の放送時（番組放送時）より出力音量レベルを更に下げることができる。また、ビデオの出力音量レベルがＴＶの出力音量レベルよりも第１の所定値「５」以上大きく、更にコマーシャル放送時刻の範囲内ではない場合（コマーシャル放送時以外の放送時（番組放送時）の場合）には、ＴＶの出力音量レベルをビデオの出力音量レベルから第１の所定値「５」分下げることで、ビデオとＴＶとの出力音量レベルの差を少なくすることができる。それにより、リモコン１５などで出力音量レベルを調整させる必要性を低減させる。
一般にテレビジョン放送において、番組放送時の音声信号の入力レベルに比べて、コマーシャル放送時の音声信号の入力レベルの方が高い場合が多いため、入力ソースをテレビジョン放送に切替えた切替時刻がコマーシャル放送時の範囲内に入っていた場合の方が、番組放送時の範囲内に入っている時よりも音声が大きくなるため、上述のようにすることで、切替時刻がコマーシャル放送時および番組放送時を含めて、ユーザを驚かせる音量で出力することを低減できる。また、リモコン１５などで出力音量レベルを調整させる必要性を低減できる。従って、入力ソースをビデオからＴＶに切替えた場合の出力音量レベルの適正化を図ることができるアンプ装置１００とそれを備えたテレビジョン受信機２０を提供できる。
【００６１】
（２）本実施形態のように入力ソースをビデオからＴＶに切替えた場合のほか、ＤＶＤプレーヤなどの外部接続機器１６を含め、他の入力ソースからテレビジョン放送に切替えた場合にも、本実施形態と同様の処理を行うことにより、上記した効果と同様の効果を奏することができる。
【００６２】
（３）本実施形態のアンプ装置１００を備えたテレビジョン受信機２０によれば、音量制御部は、音量判定部で、ビデオの出力音量レベルがＴＶの出力音量レベルよりも第１の所定値未満であると判定された場合、ＴＶの出力音量レベルをビデオの出力音量レベルと同一とする制御を行うことで上記と同様の効果を奏することができる。
（第３実施形態）
【００６３】
図６は、本発明の第３実施形態に係るアンプ装置を備えたテレビジョン受信機の制御部での処理手順を示すフローチャートである。なお、本実施形態のアンプ装置１００を備えたテレビジョン受信機２０は、第２実施形態でのアンプ装置１００を備えたテレビジョン受信機２０と同様の構成を有している。第２実施形態と異なる部分は、図６に示すフローチャートが異なる部分であり、制御部２の制御の仕方が異なる。図６を用いて、制御部２の処理手順を説明する。なお、図６のフローチャートは、図５と同様に、入力ソースが第１入力ソースから第２入力ソースとしてのテレビジョン放送（以降、ＴＶと称する）に切替えられた場合の実施形態であり、第１入力ソースとしてビデオテープレコーダ（以降、ビデオと称する）を用いた場合である。なお、第１実施形態と同様に、第１入力ソースは、切替え前の入力ソースに対応し、第２入力ソースは、切替え後の入力ソースに対応する。
【００６４】
図６に示すフローチャートにおいて、ステップＳ３００からステップＳ３０４までの処理およびステップＳ３０６の処理は、第２実施形態での図５に示すフローチャートのステップＳ２００からステップＳ２０４までの処理およびステップＳ２０６の処理に対応しており、制御部２は同様の処理を行う。そのため説明は省略する。そして、ステップＳ３０４から説明する。
【００６５】
ステップＳ３０４（図５に図示するステップＳ２０４と同様）において、制御部２は、番組情報判定部として動作し、入力ソースの切替時刻はコマーシャル（ＣＭ）放送時刻の範囲内か否かを判定し、切替時刻がコマーシャル放送時刻の範囲内であると判定されるとステップＳ３０５へ移行する。また、切替時刻がコマーシャル放送時刻の範囲内ではないと判定されるとステップＳ３０７へ移行する。
【００６６】
ステップＳ３０５において制御部２は、音量制御部として動作し、ＴＶの出力音量レベルをビデオの出力音量レベルから第１の所定値「５」分を下げて、ＴＶの出力音量レベルとする。この動作により、音声増幅部を有する音声出力部１２は、ビデオの出力音量レベルから「５」下げた出力音量レベルとなるように増幅を行ってスピーカ１３に出力する。そして、スピーカ１３は、増幅されて入力するアナログ音声信号を番組音声（この場合は、コマーシャルの音声）として出力する。
【００６７】
一方、ステップＳ３０４で切替時刻がコマーシャル放送時刻の範囲内ではないと判定されて、ステップＳ３０７に移行した場合、制御部２は音量制御部として動作し、ＴＶの出力音量レベルをビデオの出力音量レベルと同一にして、ＴＶの出力音量レベルとする。この動作による音声出力部１２およびスピーカ１３の動作は上述したと同様である。
以上のフローを実行して本ルーチンは終了となる。
【００６８】
なお、上記フローチャートは、第１入力ソースをビデオテープレコーダとして、第２入力ソースとしてのテレビジョン放送に切替えたときのフローを示しているが、これに限らず、第１入力ソースとして外部接続機器１６であるＤＶＤプレーヤを用いても良く、テレビジョン放送以外の各入力ソースをテレビジョン放送に切替える毎に、上記フローチャートを実行することで、切替った後のテレビジョン放送の出力音量レベルを適切に制御する。
【００６９】
上述した、実施形態によれば以下の効果が得られる。
（１）本実施形態のアンプ装置１００を備えたテレビジョン受信機２０によれば、入力ソースがビデオからＴＶに切替ったときの出力音量レベルがＴＶの出力音量レベルよりも第１の所定値「５」以上大きく、更にコマーシャル放送時刻の範囲内である場合にビデオの出力音量レベルから第１の所定値「５」分下げることで、コマーシャル放送時の出力音量レベルをコマーシャル放送時以外の放送時（番組放送時）より下げることができる。また、ビデオの出力音量レベルがＴＶの出力音量レベルよりも第１の所定値「５」以上大きく、更にコマーシャル放送時刻の範囲内に入っていない場合（コマーシャル放送時以外の放送時（番組放送時）の場合）には、ＴＶの出力音量レベルをビデオの出力音量レベルと同一とする。
一般にテレビジョン放送において、番組放送時の音声信号の入力レベルに比べて、コマーシャル放送時の音声信号の入力レベルの方が高い場合が多いため、入力ソースをテレビジョン放送に切替えた切替時刻がコマーシャル放送時の範囲内に入っていた場合の方が、番組放送時に入っている時よりも音声が大きくなるため、上述のようにすることで、入力ソースをテレビジョン放送に切替えた切替時刻がコマーシャル放送時の範囲内に入っていた場合に、ユーザを驚かせる音量で出力することを低減できる。従って、入力ソースをビデオからＴＶに切替えた場合の出力音量レベルの適正化を図ることができるアンプ装置１００とそれを備えたテレビジョン受信機２０を提供できる。
【００７０】
（２）本実施形態のように入力ソースをビデオからＴＶに切替えた場合のほか、ＤＶＤプレーヤなどの外部接続機器１６からテレビジョン放送に切替えた場合にも、本実施形態と同様の処理を行うことにより、上記した効果と同様の効果を奏することができる。
【００７１】
（３）本実施形態のアンプ装置１００を備えたテレビジョン受信機２０によれば、音量制御部は、音量判定部で、ビデオの出力音量レベルがＴＶの出力音量レベルよりも第１の所定値「５」未満と判定された場合、ＴＶの出力音量レベルをビデオの出力音量レベルと同一とする制御を行うことで上記と同様の効果を奏することができる。
【００７２】
なお、本発明は、上述した実施形態に限定されず、種々の変更や改良等加えることが可能である。変形例を以下に述べる。
【００７３】
（変形例１）前記第２実施形態のアンプ装置１００を備えたテレビジョン受信機２０は、入力ソースをビデオからＴＶに切替えた切替時刻が、コマーシャル放送時刻の範囲内にない場合は、ビデオの出力音量レベルから第１の所定値「５」分を下げてＴＶの出力音量レベルとしている。しかし、この状態で視聴して、コマーシャル放送時刻になった場合には、ビデオの出力音量レベルから第２の所定値「８」分を下げることでＴＶの出力音量レベルとしても良い。この場合は、番組情報判定部がコマーシャル放送時刻と現在時刻とを判定して、コマーシャル放送時刻になったことを判定し、音量制御部で出力音量レベルを制御することになる。
このようにすることで、入力ソースをテレビジョン放送に切替えたときが番組放送中であっても、コマーシャル放送時刻になると適正な出力音量レベルに制御される。従って、更に出力音量レベルの適正化を図ることができるアンプ装置１００とそれを備えたテレビジョン受信機２０を提供できる。
【００７４】
（変形例２）前記実施形態において、第１の所定値を「５」として設定している。また、第２の所定値を「８」として設定している。しかし、これに限らず、第１の所定値および第２の所定値を適宜設定することができる。また、第２の所定値は第１の所定値より大きくても、小さくても良く、番組放送時の音声信号の入力レベルとコマーシャル放送時の音声信号の入力レベルとを比較して適宜設定する事ができる。また、第１の所定値や第２の所定値を設定するためのキースイッチを、リモコン１５に設置しても良い。
【００７５】
（変形例３）前記実施形態のアンプ装置１００を備えたテレビジョン受信機１，２０と、光束を射出する光源装置（図示省略）と、光源装置から射出された光束をテレビジョン受信機１，２０から得られる画像情報に応じて変調して光学像を形成する光変調部（図示省略）と、光変調部により形成された光学像を投写する投写部（図示省略）とを備えてプロジェクタを構成しても良い。
このように構成されるプロジェクタは、入力ソースを切替えた場合の出力音量レベルの適正化を図ることができる。この場合の入力ソースとしては、パソコン（パーソナルコンピュータ）なども使用することができる。
【図面の簡単な説明】
【００７６】
【図１】本発明の第１実施形態に係るアンプ装置を備えたテレビジョン受信機の構成を示すブロック図。
【図２】アンプ装置を備えたテレビジョン受信機の制御部での処理手順を示すフローチャート。
【図３】テレビジョン受信機の表示部に表示される出力音量レベルの概略図、（a）は、入力ソースがビデオのときの表示部の概略図、（ｂ）は、入力ソースがＴＶに切替えられたときの表示部の概略図。
【図４】本発明の第２実施形態に係るアンプ装置を備えたテレビジョン受信機の構成を示すブロック図。
【図５】アンプ装置を備えたテレビジョン受信機の制御部での処理手順を示すフローチャート。
【図６】本発明の第３実施形態に係るアンプ装置を備えたテレビジョン受信機の制御部での処理手順を示すフローチャート。
【符号の説明】
【００７７】
１，２０…テレビジョン受信機、２…制御部、３…リモコン受光部、４…キー入力処理部、５…選局処理部、６…チューナ、７…入力選択部、８…ＥＰＧ情報取得部、９…映像音声処理部、１０…映像出力部、１１…表示部、１２…音声出力部、１３…スピーカ、１４…音量保存部、１５…リモコン、１６…外部接続機器。
【図１】
2007251602.tif 000003
【図２】
2007251602.tif 000004
【図３】
2007251602.tif 000005
【図４】
2007251602.tif 000006
【図５】
2007251602.tif 000007
【図６】
2007251602.tif 000008